(57)【要約】【課題】利便性を向上できる電気掃除機を提供する。【解決手段】塵埃を集塵する集塵部２０を有して集塵部２０に連通する連通口３１を開口した接続部３０が側周面に設けられる本体部２と、本体部２に軸支される車輪１６、１７と、接続部３０に接続される継手部４０を一端に有した可撓性のホース３とを備え、車輪１６、１７の転動によって本体部２が床面上を移動し、ホース３を介して集塵部２０に気流を導く電気掃除機１において、接続部３０が周壁３２の上方を開口する開口部３２ａを有し、継手部４０が開口部３２ａを介して上下方向に着脱されるようにした。【選択図】図５
2013000463.tif 000002
【特許請求の範囲】
【請求項１】
塵埃を集塵する集塵部を有して前記集塵部に連通する連通口を開口した接続部が側周面に設けられる本体部と、前記本体部に軸支される車輪と、前記接続部に接続される継手部を一端に有した可撓性のホースとを備え、前記車輪の転動によって前記本体部が床面上を移動し、前記ホースを介して前記集塵部に気流を導く電気掃除機において、前記接続部が周壁の上方を開口する開口部を有し、前記継手部が前記開口部を介して上下方向に着脱されることを特徴とする電気掃除機。
【請求項２】
前記連通口の周囲に形成される前記接続部の背壁及び前記背壁に対向する前記継手部の後端面を軸方向に垂直な面に対して下方が正面側に傾斜したことを特徴とする請求項１に記載の電気掃除機。
【請求項３】
前記背壁に前記後端面と密接するパッキンを設けたことを特徴とする請求項２に記載の電気掃除機。
【請求項４】
前記周壁の内面の両側面及び前記継手部の両側面を下方が互いに接近する方向に傾斜したことを特徴とする請求項１〜請求項３のいずれかに記載の電気掃除機。
【請求項５】
前記継手部が前記接続部と係合してクランプするクランプ部を有し、前記クランプ部を両側方から水平方向に押圧して前記接続部との係合が解除されることを特徴とする請求項１〜請求項４のいずれかに記載の電気掃除機。
【請求項６】
前記ホースの端部に配される操作部と、前記ホースに内装して前記操作部に接続されるとともに前記継手部の周面に露出する電極と、前記接続部の周壁に露出して前記電極に接触する端子とを備え、前記電極を介して前記操作部に電力供給されることを特徴とする請求項１〜請求項５のいずれかに記載の電気掃除機。
【発明の詳細な説明】
【技術分野】
【０００１】
本発明は、本体部に着脱されるホースを備えた電気掃除機に関する。
【背景技術】
【０００２】
従来の電気掃除機は特許文献１に開示されている。この電気掃除機は車輪を軸支した本体部内に電動送風機及び集塵部が設けられる。本体部の前面には可撓性のホースを接続する接続口が設けられる。接続口は集塵部に連通し、ホースは一端に設けた筒状の継手部を接続口に挿通して取り付けられる。ホースの他端には把持部が設けられるとともに、樹脂成形品の延長パイプが接続される。延長パイプには床面に対向する吸込口を開口した吸込口体が接続される。
【０００３】
上記構成の電気掃除機において、把持部を把持した使用者によって延長パイプと一体に吸込口体が床面上を移動する。また、ホースを介して本体部が車輪の転動によって床面上を移動する。電動送風機の駆動によって吸込口体から吸い込まれた塵埃を含む気流は延長パイプ、ホース及び接続口を介して集塵部に導かれる。集塵部は塵埃を捕集し、塵埃を除去された気流が電動送風機を通過して排気される。
【先行技術文献】
【特許文献】
【０００４】
【特許文献１】特許第３０４１２８９号公報（第３頁−第４頁、第４図）
【発明の概要】
【発明が解決しようとする課題】
【０００５】
しかしながら、上記従来の電気掃除機によると、ホースは本体部の前面に設けた接続口に継手部を差し込んで取り付けられ、継手部を接続口から前方に抜いて取り外される。これにより、ホースの着脱時に車輪が床面上を転動して本体部が移動するため、一方の手で本体部を固定しながら他方の手でホースの着脱を行う必要がある。従って、電気掃除機の利便性が悪い問題があった。
【０００６】
本発明は、利便性を向上できる電気掃除機を提供することを目的とする。
【課題を解決するための手段】
【０００７】
上記目的を達成するために本発明は、塵埃を集塵する集塵部を有して前記集塵部に連通する連通口を開口した接続部が側周面に設けられる本体部と、前記本体部に軸支される車輪と、前記接続部に接続される継手部を一端に有した可撓性のホースとを備え、前記車輪の転動によって前記本体部が床面上を移動し、前記ホースを介して前記集塵部に気流を導く電気掃除機において、前記接続部が周壁の上方を開口する開口部を有し、前記継手部が前記開口部を介して上下方向に着脱されることを特徴としている。
【０００８】
この構成によると、車輪の転動によって本体部が床面上を移動し、塵埃を含む気流がホース及び連通口を介して集塵部に導かれる。集塵部は塵埃を捕集し、塵埃が除去された気流が本体部から排気される。ホースは本体部の側周面に設けられる接続部に取り付けられる。ホースの一端に設けられる継手部は接続部の上方を開口した開口部を介して上下方向に着脱される。
【０００９】
また本発明は、上記構成の電気掃除機において、前記連通口の周囲に形成される前記接続部の背壁及び前記背壁に対向する前記継手部の後端面を軸方向に垂直な面に対して下方が正面側に傾斜したことを特徴としている。この構成によると、継手部は接続部の背壁と離れた状態で開口部から挿通され、接続部に接続されると接続部の背壁と継手部の後端面とが当接する。
【００１０】
また本発明は、上記構成の電気掃除機において、前記背壁に前記後端面と密接するパッキンを設けたことを特徴としている。
【００１１】
また本発明は、上記構成の電気掃除機において、前記周壁の内面の両側面及び前記継手部の両側面を下方が互いに接近する方向に傾斜したことを特徴としている。この構成によると、継手部は接続部の内側の側面と離れた状態で開口部から挿通され、接続部に接続されると接続部の内側の側面と継手部の側面とが当接する。
【００１２】
また本発明は、上記構成の電気掃除機において、前記継手部が前記接続部と係合してクランプするクランプ部を有し、前記クランプ部を両側方から水平方向に押圧して前記接続部との係合が解除されることを特徴としている。この構成によると、継手部を接続部に接続するとクランプ部の係合によって継手部がクランプされる。クランプ部を手指により両側方から水平方向に押圧すると継手部と接続部との係合が解除され、ホースが脱着される。
【００１３】
また本発明は、上記構成の電気掃除機において、前記ホースの端部に配される操作部と、前記ホースに内装して前記操作部に接続されるとともに前記継手部の周面に露出する電極と、前記接続部の周壁に露出して前記電極に接触する端子とを備え、前記電極を介して前記操作部に電力供給されることを特徴としている。この構成によると、継手部を上方から接続部に接続すると、電極と端子とが接触して操作部に電力が供給される。
【発明の効果】
【００１４】
本発明によると、本体部の側周面に設けた接続部が周壁の上方を開口する開口部を有し、ホースの一端に配した継手部が開口部を介して上下方向に着脱されるので、使用者が本体部を一方の手で固定する必要がなく、片手で容易にホースを着脱することができる。従って、電気掃除機の利便性を向上することができる。
【図面の簡単な説明】
【００１５】
【図１】本発明の実施形態の電気掃除機を示す斜視図
【図２】本発明の実施形態の電気掃除機の本体部を示す側面断面図
【図３】本発明の実施形態の電気掃除機の接続部周辺を示す側面断面図
【図４】本発明の実施形態の電気掃除機の接続部周辺を示す上面断面図
【図５】本発明の実施形態の電気掃除機の接続部及び継手部を示す正面断面図
【図６】本発明の実施形態の電気掃除機のホースのクランプ部を示す斜視図
【図７】本発明の実施形態の電気掃除機の接続部と継手部との係合状態を示す正面断面図
【図８】本発明の実施形態の電気掃除機の接続部と継手部との係合を解除した状態を示す正面断面図
【発明を実施するための形態】
【００１６】
以下に本発明の実施形態を図面を参照して説明する。図１は一実施形態の電気掃除機を示す斜視図である。電気掃除機１は電動送風機６（図２参照）を内装する本体部２を備えている。本体部２の背面には引き出し及び収納が可能な電源コード８が設けられる。電源コード８は電源プラグ９を先端に有し、商用電源のコンセントに差し込んで本体部２に電力供給される。
【００１７】
本体部２の前面には可撓性のホース３が接続され、ホース３の先端には延長パイプ４が接続される。延長パイプ４の先端には床面に対峙する吸込口（不図示）を有した吸込口体５が設けられる。吸込口体５の内部には電動の回転ブラシ（不図示）が配される。また、延長パイプ４には把持部１３及び操作部１４が設けられる。使用者により把持部１３を把持して吸込口体５を移動し、操作部１４の操作により掃除運転が実行される。
【００１８】
図２は本体部２の側面断面図を示している。本体部２は本体カバー１０により覆われる。本体カバー１０の前部の底面には直交する２方向の回転軸を有する車輪１６が軸支され、後部の両側面には車輪１７が軸支される。これにより、本体部２は車輪１６、１７の転動によって床面上を直進及び方向転換することができる。
【００１９】
本体カバー１０の前面にはホース３（図１参照）を接続する接続部３０が設けられ、背面には排気口１１が開口する。詳細を後述するように、接続部３０にはホース３の一端に設けた継手部４０が取り付けられる。
【００２０】
本体部２内の後部には電動送風機６が配される。電動送風機６の前方には集塵室１９が設けられ、集塵室１９内には着脱自在の集塵部２０が配される。集塵部２０は断面円形の筒状に形成された集塵容器２２を下部に有し、集塵容器２２の周面には気流の流入口２２ａが設けられる。集塵部２０の上部背面には気流の流出口２０ａが設けられる。流出口２０ａと電動送風機６との間はダクト１５により連結される。
【００２１】
集塵容器２２には流入口２２ａを介して周方向に気流が流入し、集塵容器２２内に旋回気流が形成される。これにより、集塵部２０はサイクロン式の集塵装置を形成し、気流に含まれる塵埃を遠心力により分離して捕集する。
【００２２】
図３、図４は接続部３０周辺の側面断面図及び上面断面図を示している。また、図５は接続部３０及び継手部４０の正面断面図を示している。接続部３０は本体カバー１０（図２参照）の前面に一体に設けられ、上方に開口部３２ａを有した正面視Ｕ字状の周壁３２を有している。開口部３２ａを介して継手部４０が上下方向に着脱される。周壁３２の下部には継手部４０が嵌合する溝部３４が設けられる。
【００２３】
接続部３０の背壁３０ａには集塵容器２２の流入口２２ａに連通する連通口３１が開口する。連通口３１の前面側の周囲にはパッキン３１ａが配され、背面側の周囲にはパッキン３１ｂが配される。ホース３の継手部４０の後端面４０ａはパッキン３１ａを介して接続部３０の背壁３０ａに密接する。また、集塵容器２２の流入口２２ａの周囲はパッキン３１ｂを介して接続部３０に密接する。これにより、ホース３と集塵部２０との間の気密性が確保されている。
【００２４】
接続部３０の周壁３２の内部には本体部２内に設けた制御部（不図示）に接続される複数の端子３３が設けられる。端子３３は周壁３２の内面に設けられる上方を開放したスリット（不図示）を介して露出する。
【００２５】
ホース３は可撓性の蛇腹部３ａの一端に継手部４０が取り付けられる。継手部４０は樹脂成形品によって一体に形成された内筒４１、外筒４２及び鍔部４３を有している。内筒４１は連通口３１に略等しい内径を有し、蛇腹部３ａが嵌合して固定される。外筒４２は内筒４１と同軸に継手部４０の前部に配され、使用者が把持できるような外径に形成される。
【００２６】
鍔部４３は外筒４２の後部から径方向に突出した鍔状に形成される。鍔部４３の上部には左右方向に突出する当接部４３ａが設けられる。継手部４０を接続部３０に接続した際に鍔部４３の下部は接続部３０の溝部３４に嵌合し、当接部４３ａの下面が接続部３０の周壁３２の上端面に当接する。ホース３内には操作部１４（図１参照）及び回転ブラシ（不図示）に接続される複数の電極４４が内装され、電極４４の端部が鍔部４３の両側面４３ｂから突出する。
【００２７】
周壁３２の内面の両側面３２ｂは下方が互いに接近する方向に傾斜した傾斜面に形成される。同様に、鍔部４３の両側面４３ｂは下方が互いに接近する方向に傾斜した傾斜面に形成される。また、接続部３０の背壁３０ａ及び継手部４０の後端面４０ａは軸方向に垂直な面に対して下方が正面側に傾斜した傾斜面に形成される。
【００２８】
継手部４０内には外筒４２の後部と鍔部４３との間に跨ってクランプ部５０が配される。図６はクランプ部５０の斜視図を示している。クランプ部５０は外筒４２の上部の両側方に配され、継手部４０に軸支される軸部５０ａを下端に有して回動自在に配される。クランプ部５０の上部前方には使用者が押圧する押圧部５０ｂが外側に突出して設けられる。クランプ部５０の上部後方には接続部３０の周壁３２に設けた係合孔（不図示）に係合する係合部５０ｃが外側に突出して設けられる。また、クランプ部５０は圧縮バネ５１（図５参照）によって押圧部５０ｂ及び係合部５０ｃが外側に向かう方向に付勢される。
【００２９】
上記構成の電気掃除機１において、使用者によって継手部４０の外筒４２を把持され、上方から開口部３２ａを介して継手部４０が接続部３０内に挿入される。図７に示すように継手部４０が下端まで挿入されると、鍔部４３の下部が溝部３４（図３参照）に嵌合する。また、圧縮バネ５１の付勢によりクランプ部５０の係合部５０ｃ（図６参照）が周壁３２に設けた係合孔（不図示）に係合して継手部４０がクランプされる。これにより、本体部２を固定せずに片手でホース３を接続部３０に接続することができる。
【００３０】
この時、接続部３０の周壁３２に設けたスリット（不図示）を介して電極４４が端子３３に接する。これにより、操作部１４及び回転ブラシに電力を供給することができる。
【００３１】
尚、継手部４０を下端まで挿入した際に接続部３０の側面３２ｂと鍔部４３の側面４３ｂとが当接し、パッキン３１ａを介して接続部３０の背壁３０ａと継手部４０の後端面４０ａが当接する。接続部３０の側面３２ｂ及び背壁３０ａが傾斜面に形成されるため、容易に継手部４０を所定位置に挿入することができる。また、継手部４０を下端に挿入するまでパッキン３１ａと継手部４０の後端面４０ａとが接しないため、摺動によるパッキン３１ａの劣化を防止することができる。
【００３２】
ホース３の装着状態から外筒４２を把持しながら図８に示すように手指で両押圧部５０ｂを側方から水平方向に押圧すると、クランプ部５０の係合部５０ｃの係合が解除される。これにより、開口部３２ａを介して上方に継手部４０が引き出される。この時、接続部３０と継手部４０との間に摩擦力が存在しても本体部２の自重によって接続部３０から継手部４０が離れる。従って、本体部２を固定せずに片手でホース３を接続部３０から取り外すことができる。
【００３３】
ホース３、延長パイプ４及び吸込口体５を本体部２に接続した状態で把持部１３を把持した使用者によって延長パイプ４と一体に吸込口体５が床面上を移動する。また、ホース３を介して本体部２が車輪１６、１７の転動によって床面上を移動する。電動送風機６が駆動されると、吸込口体５から床面の塵埃が吸い込まれて延長パイプ４及びホース３を流通する。
【００３４】
塵埃を含む気流は連通口３１及び流入口２２ａを介して集塵容器２２に流入し、集塵容器２２内に旋回気流を形成する。旋回気流の遠心力によって気流に含まれる塵埃が分離して捕集される。塵埃を除去された気流は流出口２０ａを介して集塵部２０から流出してダクト１５を流通し、電動送風機６を介して排気口１１から排気される。
【００３５】
本実施形態によると、本体部２の前面に設けた接続部３０が周壁３２の上方を開口する開口部３２ａを有し、ホース３の一端に配した継手部４０が開口部３２ａを介して上下方向に着脱されるので、使用者が本体部２を一方の手で固定する必要がなく、片手で容易にホース３を着脱することができる。従って、電気掃除機１の利便性を向上することができる。
【００３６】
また、接続部３０の背壁３０ａ及び継手部４０の後端面４０ａを軸方向に垂直な面に対して下方が正面側に傾斜したので、継手部４０を容易に接続部３０に挿入することができる。
【００３７】
また、接続部３０の背壁３０ａに継手部４０と密接するパッキン３１ａを設けたので、気流漏れを防止することができる。また、継手部４０を下端に挿入するまでパッキン３１ａと継手部４０の後端面４０ａとが接しないため、摺動によるパッキン３１ａの劣化を防止することができる。
【００３８】
また、接続部３０の両側面３２ｂ及び継手部４０の両側面４３ｂを下方が互いに接近する方向に傾斜したので、継手部４０を容易に接続部３０に挿入することができる。
【００３９】
また、継手部４０が接続部３０と係合してクランプするクランプ部５０を有し、クランプ部５０の押圧部５０ｂを両側方から水平方向に押圧して接続部３０との係合が解除される。従って、片手でクランプ部５０の係合を解除してホース３を取り外すことができ、電気掃除機１の利便性をより向上することができる。
【００４０】
また、ホース３に内装した電極４４が継手部４０の周面に露出し、接続部３０の周壁３２に端子３３が露出する。従って、ホース３の装着によって電極４４と端子３３とを簡単に接触させて操作部１４及び回転ブラシに電力を供給することができる。
【００４１】
本実施形態において、接続部３０が本体部２の前面に設けられるが、本体部２の側面に設けてもよい。これにより、車輪１６の転動や車輪１７が床面上を摺動することを防止して片手でホース３を着脱することができる。即ち、接続部３０は本体部２の側周面に設けられていればよい。
【産業上の利用可能性】
【００４２】
本発明によると、本体部に着脱されるホースを備えた電気掃除機に利用することができる。
【符号の説明】
【００４３】
１    電気掃除機
２    本体部
３    ホース
４    延長パイプ
５    吸込口体
６    電動送風機
１０    本体カバー
１３    把持部
１４    操作部
１５    ダクト
１６、１７  車輪
１９    集塵室
２０    集塵装置
２０ａ  流出口
２２    集塵容器
２２ａ  流入口
３０    接続部
３１    連通口
３１ａ、３１ｂ  パッキン
３２    周壁
３２ａ  開口部
３２ｂ  側面
３３    端子
３４    溝部
４０    継手部
４１    内筒
４２    外筒
４３    鍔部
４３ｂ  側面
４４    電極
５０    クランプ部
５０ｂ  押圧部
５０ｃ  係合部
５１    圧縮バネ
【図１】
2013000463.tif 000003
【図２】
2013000463.tif 000004
【図３】
2013000463.tif 000005
【図４】
2013000463.tif 000006
【図５】
2013000463.tif 000007
【図６】
2013000463.tif 000008
【図７】
2013000463.tif 000009
【図８】
2013000463.tif 000010